【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
ビデオ処理システムにおいて、
レンダリングされる第１ピクチャの第１グローバルモーション推定値を決定することと、
前記第１ピクチャのエッジを、前記第１グローバルモーション推定値の方向にある前記第１ピクチャのエッジとして識別することと、
前記第１ピクチャのエッジを識別することに応じて、前記ビデオ処理システムのエンコーダにおいて、前記識別されたエッジに隣接する前記第１ピクチャの領域を、前記第１ピクチャのイントラ符号化されたリフレッシュ領域として符号化することによって、前記第１ピクチャをイントラリフレッシュ符号化することと、を含み、
前記リフレッシュ領域の幅は、前記第１グローバルモーション推定値の主方向成分の大きさに基づいて設定される、
方法。
【請求項２】
ビデオ処理システムにおいて、
レンダリングされる第１ピクチャの第１グローバルモーション推定値を決定することと、
前記第１グローバルモーション推定値を閾値と比較することと、
前記第１ピクチャのエッジを、前記第１グローバルモーション推定値の方向にある前記第１ピクチャのエッジとして識別することと、
前記第１ピクチャのエッジを識別することに応じて、前記ビデオ処理システムのエンコーダにおいて、前記識別されたエッジに隣接する前記第１ピクチャの領域を、前記第１ピクチャのイントラ符号化されたリフレッシュ領域として符号化することによって、前記第１ピクチャをイントラリフレッシュ符号化することと、
前記第１ピクチャのエッジを識別することと、前記識別されたエッジに隣接する前記第１ピクチャの領域を、イントラ符号化されたリフレッシュ領域として符号化することとは、前記第１グローバルモーション推定値が前記閾値を超えていることに応じて行われる、
方法。
【請求項３】
レンダリングされる第２ピクチャの第２グローバルモーション推定値を決定することと、
前記第２グローバルモーション推定値を前記閾値と比較することと、
前記第２グローバルモーション推定値が前記閾値を超えないことに応じて、前記エンコーダにおいて、イントラ符号化されるリフレッシュ領域の位置がピクチャのセット内の連続するピクチャ間で移動するリフレッシュ領域パターンに基づいて選択された前記第２ピクチャの領域を符号化することによって、前記第２ピクチャをイントラリフレッシュ符号化することと、をさらに含む、
請求項２の方法。
【請求項４】
前記符号化された第１ピクチャを含む符号化ビットストリームを、ヘッドマウントディスプレイ（ＨＭＤ）装置に送信すること、をさらに含み、
前記第１グローバルモーション推定値を決定することは、前記ＨＭＤ装置のモーションに基づいて前記第１グローバルモーション推定値を決定することを含む、
請求項１の方法。
【請求項５】
前記第１グローバルモーション推定値を決定することは、前記第１ピクチャのコンテンツと、少なくとも１つの前のピクチャのコンテンツのモーション分析と、に基づいて、前記第１グローバルモーション推定値を決定することを含む、
請求項１の方法。
【請求項６】
ビデオ符号化システムにおいて、
ピクチャの第１セットに関連するグローバルモーション推定値が特定の閾値を超えないと決定したことに応じて、前記ピクチャのリフレッシュ領域の位置が前記ピクチャの第１セット内の前のピクチャのリフレッシュ領域の位置に対して空間的にシフトするように、前記第１セット内の各ピクチャをイントラリフレッシュ符号化することと、
ピクチャの第２セットに関連するグローバルモーション推定値が前記特定の閾値を超えていると決定したことに応じて、前記第２セット内の各ピクチャのリフレッシュ領域の位置が、前記第２セットに関連するグローバルモーション推定値の方向にあるピクチャエッジに隣接して固定されるように、前記第２セット内の各ピクチャをイントラリフレッシュ符号化することと、を含む、
方法。
【請求項７】
前記ピクチャの第１セットのリフレッシュ領域が同じ幅を有し、
前記ピクチャの第２セットに関連する前記グローバルモーション推定値が複数のグローバルモーション推定値を含み、各グローバルモーション推定値は、前記第２セットの対応するピクチャに関連しており、
前記第２セットのピクチャのリフレッシュ領域は、そのピクチャに関連する前記グローバルモーション推定値に基づいている、
請求項６の方法。
【請求項８】
前記第１セット及び前記第２セットのピクチャのイントラリフレッシュ符号化された表現を含む符号化ビットストリームを、ヘッドマウントディスプレイ（ＨＭＤ）装置（３０４）に送信すること、をさらに含む、
請求項６の方法。
【請求項９】
前記ＨＭＤ装置において、レンダリングされたピクチャのセットを生成するために、前記符号化ビットストリームを復号化することと、
前記ＨＭＤ装置のディスプレイパネルにおいて、前記レンダリングされたピクチャのセットを表示することと、をさらに含む、
請求項８の方法。
【請求項１０】
第１時間での前記ＨＭＤ装置のモーションに基づいて、前記ピクチャの第１セットに関連する前記グローバルモーション推定値を決定することと、
第２時間での前記ＨＭＤ装置のモーションに基づいて、前記ピクチャの第２セットに関連する前記グローバルモーション推定値を決定することと、をさらに含む、
請求項９の方法。
【請求項１１】
前記第１セットのピクチャのコンテンツのモーション分析に基づいて、前記第１セットに関連する前記グローバルモーション推定値を決定することと、
前記第１セットのピクチャのコンテンツのモーション分析に基づいて、前記第１セットに関連する前記グローバルモーション推定値を決定することと、をさらに含む、
請求項６の方法。
【請求項１２】
ピクチャストリームのピクチャを符号化して符号化ビットストリームを生成するエンコーダと、
少なくとも１つのプロセッサと、を備え、
前記少なくとも１つのプロセッサは、
前記ピクチャストリームの第１ピクチャに関連する第１グローバルモーション推定値を決定し、前記第１ピクチャのエッジを、前記第１グローバルモーション推定値の方向にある前記第１ピクチャのエッジとして識別し、前記識別されたエッジに隣接する前記第１ピクチャの領域が前記第１ピクチャのイントラ符号化されたリフレッシュ領域として符号化されるように、前記第１ピクチャをイントラリフレッシュ符号化するように前記エンコーダを構成し、前記第１グローバルモーション推定値の大きさに基づいて前記リフレッシュ領域の幅を構成する、
システム。
【請求項１３】
前記第１グローバルモーション推定値の方向は、前記第１グローバルモーション推定値の主方向成分の方向である、
請求項１２のシステム。
【請求項１４】
前記少なくとも１つのプロセッサは、前記第１ピクチャのエッジを識別し、前記第１グローバルモーション推定値が特定の閾値を超えていることに応じて、前記第１ピクチャをイントラリフレッシュ符号化するように前記エンコーダを構成する、
請求項１２のシステム。
【請求項１５】
前記少なくとも１つのプロセッサは、前記ピクチャストリームの第２ピクチャの第２グローバルモーション推定値を決定し、
前記少なくとも１つのプロセッサは、前記第２グローバルモーション推定値が前記特定の閾値を超えないことに応じて、イントラ符号化される領域の位置がピクチャのセット内の連続するピクチャ間で移動するリフレッシュ領域パターンに基づいて選択された前記第２ピクチャの領域を符号化することによって、前記第２ピクチャをイントラリフレッシュ符号化するように前記エンコーダを構成する、
請求項１４のシステム。
【請求項１６】
前記符号化ビットストリームを受信し、前記符号化ビットストリームを復号化して、復号化されたピクチャストリームを生成し、前記復号化されたピクチャストリームをユーザに表示するヘッドマウントディスプレイ（ＨＭＤ）装置を備える、
請求項１２のシステム。
【請求項１７】
前記少なくとも１つのプロセッサは、前記ＨＭＤ装置のモーションに基づいて前記第１グローバルモーション推定値を決定する、
請求項１６のシステム。
【請求項１８】
前記少なくとも１つのプロセッサは、前記第１ピクチャのコンテンツと、少なくとも１つの前のピクチャのコンテンツのモーション分析と、に基づいて、前記第１グローバルモーション推定値を決定する、
請求項１２のシステム。
【請求項１９】
前記符号化された第１ピクチャを含む符号化ビットストリームを、ヘッドマウントディスプレイ（ＨＭＤ）装置に送信すること、をさらに含み、
前記第１グローバルモーション推定値を決定することは、前記ＨＭＤ装置のモーションに基づいて前記第１グローバルモーション推定値を決定することを含む、
請求項２の方法。
【請求項２０】
少なくとも１つのプロセッサと、
エンコーダと、を備え、
前記少なくとも１つのプロセッサは、
レンダリングされる第１ピクチャの第１グローバルモーション推定値を決定し、前記第１グローバルモーション推定値を閾値と比較し、前記第１ピクチャのエッジを、前記第１グローバルモーション推定値の方向にある前記第１ピクチャのエッジとして識別し、
前記エンコーダは、
前記第１グローバルモーション推定値が前記閾値を超えていること、及び、前記第１ピクチャのエッジを識別することに応じて、前記識別されたエッジに隣接する前記第１ピクチャの領域を、前記第１ピクチャのイントラ符号化されたリフレッシュ領域として符号化することによって、前記第１ピクチャをイントラリフレッシュ符号化する、
システム。
【請求項２１】
前記少なくとも１つのプロセッサは、レンダリングされる第２ピクチャの第２グローバルモーション推定値を決定し、前記第２グローバルモーション推定値を前記閾値と比較し、
前記エンコーダは、前記第２グローバルモーション推定値が前記閾値を超えないことに応じて、前記エンコーダにおいて、イントラ符号化されるリフレッシュ領域の位置がピクチャのセット内の連続するピクチャ間で移動するリフレッシュ領域パターンに基づいて選択された前記第２ピクチャの領域を符号化することによって、前記第２ピクチャをイントラリフレッシュ符号化する、
請求項２０のシステム。